(57)【要約】【課題】自然石の載置状態を簡単に安定化させることができ、また置物としての装飾性を高めることができ、さらに鑑賞者の心を十分に楽しませることが可能な置物、及び載置台を提供する。【解決手段】置物１は、載置面６を有する台座４と、載置面６の上に敷き詰められた小石状の大きさの天然石７と、天然石７からなる層の上に載置された自然石からなる鑑賞用石材２とを具備する。これにより、天然石７の層に鑑賞用石材２の受面が形成され、鑑賞用石材２を安定した状態で支持することができる。また、天然石７に宿っていると考えられている効果を享受することができ、鑑賞者の心を一層楽しませることができる。【選択図】図２
0003172211.tif 000002
【実用新案登録請求の範囲】
【請求項１】
載置面を有する台座と、
前記載置面の上に敷き詰められた小石状の大きさの天然石と、
該天然石の層の上に載置された自然石からなる鑑賞用石材と
を具備することを特徴とする置物。
【請求項２】
前記天然石は水晶であり、前記自然石はさざれ石である
ことを特徴とする請求項１に記載の置物。
【請求項３】
自然石からなる鑑賞用石材を載置させるための載置台であって、
載置面を有し薄鉢状に形成された木材製の台座と、
前記載置面の上に敷き詰められた小石状の大きさの水晶と
を具備することを特徴とする載置台。
【考案の詳細な説明】
【技術分野】
【０００１】
本考案は、置物及び載置台に関し、特に鑑賞用石材を用いた置物、及びその鑑賞用石材の載置台に関するものである。
【背景技術】
【０００２】
従来から、鑑賞用石材として、種々の自然石が知られている。例えば、その一つである菊花石は、菊の花のように放射状の結晶をつくる石であり、その美しさは見る人の心を楽しませてくれる。また、さざれ石（細石）は、複数の小石が長い年月をかけて岩の塊に変化したものであり、独特の風情を醸し出している。
【０００３】
ところで、このような自然石を観賞用石材とする場合、通常、図３（ａ）に示すように木材製の台座１１が用いられ、その台座１１の上に載置された状態で置物として飾られる。この台座１１には、自然石Ｓの底面（飾った際に下面となる部分）の形状に合せた窪み１２が形成されており、自然石Ｓの下部を窪み１２に嵌込むことにより、自然石Ｓの載置状態を安定化させている（非特許文献１参照）。
【考案の概要】
【考案が解決しようとする課題】
【０００４】
しかし、上記の台座１１によれば、窪み１２の形状を、個々に異なる自然石Ｓの形状に合せる必要があるため、台座１１の製作に極めて多くの時間と手間がかかり、高価なものとなっていた。
【０００５】
なお、図３（ｂ）に示すように、自然石Ｓの底面を平坦に切削すれば、台座１３の載置面１４を平坦な面とすること、すなわち、台座１３を共通品として量産することが可能となるが、これによれば、自然石Ｓ全体の形状が醸し出す美しさ、または自然的な風合いが損なわれるおそれがあり、しかも自然石Ｓを切削する作業が必要になることから好ましくない。
【０００６】
また、従来の置物は、自然石Ｓ及び木材製の台座１１のみから構成されているため、置物全体の外観が比較的単調なものとなり、装飾性の面で物足りなさを感じる場合があった。また、鑑賞者の心を楽しませる点においても改良の余地があった。
【０００７】
そこで、本考案は、上記の実状に鑑み、自然石の載置状態を簡単に安定化させることができ、また置物としての装飾性を高めることができ、さらに鑑賞者の心を十分に楽しませることが可能な置物、及び載置台の提供を課題とするものである。
【課題を解決するための手段】
【０００８】
本考案にかかる置物は、
「載置面を有する台座と、
前記載置面の上に敷き詰められた小石状の大きさの天然石と、
該天然石の層の上に載置された自然石からなる鑑賞用石材と
を具備する」
ことを特徴とするものである。
【０００９】
ここで、「台座」の材質は特に限定されるものではないが、木材製、陶製、金属製、または樹脂製とすることができる。また、「台座」の形状は特に限定されるものではないが、敷き詰めた天然石が散らばらないように薄鉢状とすることが好ましい。
【００１０】
また、「天然石」は、商業的価値のあるものであり、一般的な小石は除かれる。具体的には、水晶、翡翠、またはトルマリン等、ある種の特殊な力が宿っていると考えられている石（いわゆる「パワーストーン」）を挙げることができる。また、「天然石」の形状は、角ばっていてもよく、丸みを帯びていてもよい。
【００１１】
本考案によれば、台座の載置面の上に複数の天然石が敷き詰められており、その層の上に、自然石からなる鑑賞用石材が載置されている。天然石は、大きさが小石状であり、敷き詰められた状態となっているため、その層の上に鑑賞用石材を載置する際、手で天然石を掻き寄せたり、あるいは天然石の層の上から鑑賞用石材を押し付けたりすることにより、天然石の層に、鑑賞用石材の底部を受ける受面（窪み）を形成することができる。したがって、台座や自然石を切削することなく、極めて簡単な方法で、鑑賞用石材の載置状態を安定化させることができる。
【００１２】
また、小石状の大きさの天然石を観賞用石材の下に敷き詰めることにより、置物としての装飾性が高められる。さらに、種々の力が宿ると考えられている天然石を用いることにより、置物への関心が高まるとともに、鑑賞者の心を一層楽しませることが可能となる。
【００１３】
また、本考案の置物において、
「前記天然石は水晶であり、前記自然石はさざれ石である」
構成とすることができる。
【００１４】
本考案によれば、天然石として用いられる「水晶」は、一般にクリスタルと総称され、浄化、開運、願望成就、及び魔よけなどの効果があると考えられている。一方、自然石として用いられる「さざれ石」は、小石同士が長い年月をかけて岩の塊に変化したものであり、神霊が宿る石であると考えられている。したがって、水晶を敷き詰めた上に「さざれ石」を載置することにより、あたかも、「さざれ石」が水晶の力を受けて大きな巌に成長するように、永遠の生命力を喚起させることが可能となり、「さざれ石」が持つ「めでたさ」を助長することができる。
【００１５】
また、水晶は一般に透明度が高く、しかも輝きを生じさせることから、「さざれ石」を明るく浮かび上がらせることができ、さざれ石の装飾性を大幅に高めることも可能になる。
【００１６】
一方、本考案にかかる載置台は、
「自然石からなる鑑賞用石材を載置させるための載置台であって、
載置面を有し薄鉢状に形成された木材製の台座と、
前記載置面の上に敷き詰められた小石状の大きさの水晶と
を具備する」
ことを特徴とするものである。
【００１７】
本考案によれば、水晶の層の上に鑑賞用石材を載置することにより、上記考案にかかる置物と同様の作用効果を奏することができる。また、本考案の台座は木材製であるため、観賞用石材である自然石の風情に適合させることができ、見栄えをさらに高めることが可能となる。さらに、台座は薄鉢状に形成されているため、水晶が台座の外部に散らばることを防止でき、ひいては観賞用石材を安定した状態に保つことが可能になる。
【考案の効果】
【００１８】
このように、本考案の置物によれば、自然石の載置状態を極めて簡単に安定化させることができる。また、置物全体としての装飾性を高めることができる。さらに、鑑賞者の心を十分に楽しませることができる。
【図面の簡単な説明】
【００１９】
【図１】本実施形態の置物の構成を示す斜視図である。
【図２】置物の構成を示す縦断面図である。
【図３】従来の置物の構成を示す斜視図である。
【考案を実施するための形態】
【００２０】
以下、本実施形態の置物１について、図１及び図２に基づき説明する。置物１は、自然石からなる鑑賞用石材２と、鑑賞用石材２を載置する載置台３とから構成されている。鑑賞用石材２における自然石の種類は特に限定されるものではないが、本例では、「さざれ石」を使用している。このさざれ石は、雨水による石灰岩の溶解により生じた粘着力の強い乳状液が、複数の小石を少しずつ結合させることで、長い年月をかけて塊に変化したものであり、石灰質の作用によってコンクリート状に固まっている。また、さざれ石は、大変おめでたい石、及び神霊が宿る石であると考えられている。
【００２１】
載置台３は、台座４と天然石７とから構成されている。本例の台座４は木材製であり、平面視長方形状の薄鉢状に形成されている。すなわち、台座４は、上面が開放された収容部５を中央に備え、その周囲に壁が形成された形状となっている。また、収容部５の底面が載置面６となっており、天然石７を載置面６上に敷き詰めることが可能になっている。なお、収容部５の大きさ（縦及び横の長さ）は、鑑賞用石材２よりも大きな値に設定されており、鑑賞用石材２の底部８を収容することが可能になっている。また、収容部５の深さは、天然石７の数倍の大きさに設定されており、天然石７の層が形成されるようになっている。
【００２２】
天然石７は、鑑賞用石材２よりも小さな小石状の大きき（具体的には、３ｍｍ〜１５ｍｍ）の粒状部材である。特に本実施形態では、天然石７として、二酸化珪素からなる無色透明の水晶を使用している。水晶は、パワーストーンとしても知られており、浄化、開運、願望成就、及び魔よけなどの効果があるといわれている。そして、これらの天然石７は、台座４の収容部５に収容されて層をなし、その層の上に鑑賞用石材２が載置されるようになっている。
【００２３】
このように、本実施形態の置物１によれば、鑑賞用石材２の下に天然石７の層が設けられるため、手で天然石７を掻き寄せたり、あるいは天然石７の層の上から鑑賞用石材２を押し付けたりすることにより、天然石７の層に、鑑賞用石材２の底部８の形状に合せた受面（窪み）を形成することができる。したがって、極めて簡単な方法で、鑑賞用石材２の載置状態を安定化させることができる。
【００２４】
また、本実施形態の置物１によれば、天然石７として水晶を使用するため、水晶に宿っていると考えられている効果を享受させることが可能となり、鑑賞者の心を一層楽しませることができる。また、水晶は透明度が高く、しかも輝きを生じさせることから、鑑賞用石材２を明るく浮かび上がらせることができ、鑑賞用石材２の装飾性を大幅に高めることができる。
【００２５】
また、自然石として「さざれ石」を使用するため、さざれ石が水晶の力を受けて大きな巌に成長するように、永遠の生命力を喚起させることが可能となり、「さざれ石」が持つ「めでたさ」を助長することができる。
【００２６】
さらに、本実施形態の置物１によれば、台座４は木材製であるため、鑑賞用石材２である自然石の風情に適合させることができ、見栄えをさらに高めることができる。また、台座４は薄鉢状に形成されているため、水晶が台座４の外部に散らばらないようにすることができ、ひいては鑑賞用石材２を安定した状態に保つことが可能になる。
【００２７】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００２８】
すなわち、上記実施形態では、鑑賞用石材２の自然石として、さざれ石を使用するものを示したが、菊花石、または赤玉石等の自然石を使用してもよい。
【００２９】
また、上記実施形態では、天然石７として無色透明の水晶を使用するものを示したが、紫色の水晶（アメシスト）等、色つきの水晶を使用してもよい。また、水晶以外の天然石、例えば翡翠やトルマリンを使用してもよい。
【００３０】
また、上記実施形態では、台座４として平面視形状が長方形のものを示したが、円形や楕円形の形状としてもよい。また、鑑賞用石材２の外観形状に合致させた形状としてもよい。ただし、上記実施形態のように長方形とした場合には、鑑賞用石材２の形状がどのような形状であっても不自然さを生じさせないことから、共通の台座として使用することができる。また、台座４の外観形状が単調なことから、台座４の存在が目立ち難くなり、ひいては鑑賞用石材２の形状を相対的に際立たせることが可能となる。
【符号の説明】
【００３１】
１  置物
２  鑑賞用石材（自然石，さざれ石）
３  載置台
４  台座
６  載置面
７  天然石（水晶）
【先行技術文献】
【非特許文献】
【００３２】
【非特許文献１】月刊「樹石」  株式会社樹石新社  Ｖｏｌ．２６２  ２０１１  ７
【図１】
0003172211.tif 000003
【図２】
0003172211.tif 000004
【図３】
0003172211.tif 000005